(57)【要約】 【課題】  効率的に動力を発生する動力発生装置を提供する。【解決手段】  内側の第１の回転体３の磁石体の一端部２１＿１〜２１＿８は、外側の第２の回転体５の磁石体の一端部４３＿１〜４３＿９との間の位置関係から、回転軸１１を中心として第１の回転体３を時計回りに回転させる方向に付勢される。このとき、第１の回転体３と第２の回転体５との回転は同期し、第１の回転体３と第２の回転体５との位置関係は常に同じに保たれる。【選択図】  図１
2007325423.tif 000002
【特許請求の範囲】
【請求項１】
回転軸を中心に回転し、第１の磁極の第１の端部と第２の磁極の第２の端部とが周方向に交互且つ等間隔に配置された第１の回転体と、
前記回転軸を中心に回転し、第１の磁極の第３の端部と第２の磁極の第４の端部とが周方向に等間隔で且つ前記第１の端部と前記第２の端部との間の位置に交互に配置された第２の回転体と、
前記第１の回転体と前記第２の回転体とを、前記回転軸を中心として同じ回転方向に同期して回転させる同期手段と
を有する動力発生装置。
【請求項２】
前記第１の端部、前記第２の端部、前記第３の端部および前記第４の端部の各々は、前記回転軸を中心に回転する棒状の磁石体の端部である
請求項１に記載の動力発生装置。
【請求項３】
前記第１の回転体と前記第２の回転体とが前記回転方向にのみ回転するように回転を規制する回転規制手段
をさらに有する請求項１または請求項２に記載の動力発生装置。
【発明の詳細な説明】
【技術分野】
【０００１】
本発明は、動力を効率的に発生する動力発生装置に関する。
【背景技術】
【０００２】
例えば、石油などの燃料を燃焼させて生じたエネルギを基に発電を行うシステムがある。
【発明の開示】
【発明が解決しようとする課題】
【０００３】
しかしながら、上述した従来のシステムでは、石油などを燃焼させることで、大量の二酸化炭素を排出するため、地球環境上、様々な問題を引き起こしている。
また、石油などの資源は有限である。従って、動力を効率的に発生する装置が期待されている。
【０００４】
本発明は、上述した従来技術に鑑みてなされ、効率的に動力を発生する動力発生装置を提供することを目的とする。
【課題を解決するための手段】
【０００５】
上述した目的を達成するために、請求項１の発明の動力発生装置は、回転軸を中心に回転し、第１の磁極の第１の端部と第２の磁極の第２の端部とが周方向に交互且つ等間隔に配置された第１の回転体と、前記回転軸を中心に回転し、第１の磁極の第３の端部と第２の磁極の第４の端部とが周方向に等間隔で且つ前記第１の端部と前記第２の端部との間の位置に交互に配置された第２の回転体と、前記第１の回転体と前記第２の回転体とを、前記回転軸を中心として同じ回転方向に同期して回転させる同期手段とを有する。
【０００６】
請求項１の動力発生装置では、第１の回転体の第１の端部および第２の端部と、第２の回転体の第３の端部および第４の端部との位置関係および応じて磁極に応じた反発力および吸引力によって、第１の回転体の一方向の回転が付勢される。このとき、第１の回転体と第２の回転体の回転が同期手段によって同期するため、第１の回転体と第２の回転体の位置関係は同じに保たれる。これにより、第１の回転体および第２の回転体の一方向の回転が常に付勢される。
【０００７】
また、請求項２の発明は、請求項１の発明において、前記第１の端部、前記第２の端部、前記第３の端部および前記第４の端部の各々は、前記回転軸を中心に回転する棒状の磁石体の端部であることを特徴としている。
【発明の効果】
【０００８】
本発明によれば、効率的に動力を発生する動力発生装置を提供することができる。
【発明を実施するための最良の形態】
【０００９】
以下、本発明の実施形態に係わる動力発生装置について説明する。
図１は、本発明の実施形態の動力発生装置１の正面図である。
図２は、図１に示す動力発生装置１を、図１に示す矢印Ａに示す断面線における断面図である。
【００１０】
先ず、本実施形態の構成要素と本発明の構成要素との対応関係を説明する。
回転軸１１が本発明の回転軸の一例である。
また、第１の回転体３が本発明の第１の回転体の一例である。
また、第２の回転体５が本発明の第２の回転体の一例である。
また、磁石体２１＿１〜２１＿８の一端部２３＿１〜２３＿８が本発明の第１の端部の一例である。
また、磁石体４１＿１〜４１＿８の一端部４３＿１〜４３＿８が本発明の第２の端部の一例である。
また、第１の回転体３の歯車２５の歯２５ａと、第２の回転体５の歯３５とが噛み合う機構が本発明の同期手段の一例である。
【００１１】
図１に示すように、動力発生装置１は、第１の回転体３と、第２の回転体５とを有する。
第１の回転体３および第２の回転体５には、時計回り方向にのみ回転するようにストッパー（回転規制手段）が設けられている。
【００１２】
第１の回転体３は、回転軸１１を中心に回転可能な状態で回転軸１１に嵌め込まれた円筒体９を有する。
円筒体９の外周には、８個の棒状の磁石体２１＿１〜２１＿８が周方向に等間隔で、外側に向けて延びるように固定されている。
ここで、磁石体２１＿１，２１＿３，２１＿５，２１＿７の外側の一端部２３＿１，２３＿３，２３＿５，２３＿７はＳ極に磁性されている。
一方、磁石体２１＿２，２１＿４，２１＿６，２１＿８の一端部２３＿２，２３＿４，２３＿６，２３＿８はＮ極に磁性されている。
【００１３】
また、円筒体９の外周の磁石体２１＿１〜２１＿８の図２中左側には、円筒体９と一体となって回転する歯車２５が固定されている。
【００１４】
第２の回転体５は、図２に示すように、回転軸１１を中心に回転可能な状態で回転軸１１に嵌め込まれた円筒体３１を有する。
円筒体３１の外周には、略円板状の支持体３３が固定されている。
支持体３３の側面の第１の回転体３側には、第１の回転体３の歯車２５を内側に収容する横断面が円形の凹部３３ａが形成されている。
凹部３２ａの内周面には、第１の回転体３の歯車２５の歯２５ａと噛み合う歯３５が形成されている。
これにより、回転軸１１を中心とした第１の回転体３の回転と完全に同期して、回転軸１１を中心として支持体３３が回転する。
【００１５】
また、支持体３３の凹部３２ａの外側の図２中右側側面には、８個の棒状の磁石体４１＿１〜４１＿８が周方向に等間隔で径方向に延びるように固定されている。
ここで、磁石体４１＿１，４１＿３，４１＿５，４１＿７の内側（回転軸１１側）の一端部４３＿１，４３＿３，４３＿５，４３＿７はＳ極に磁性されている。
一方、磁石体４１＿２，４１＿４，４１＿６，４１＿８の内側の一端部４３＿２，４３＿４，４３＿６，４３＿８はＮ極に磁性されている。
【００１６】
本実施形態では、図１に示すように、第１の回転体３の磁石体２１＿８の一端部２３＿８（Ｎ極）と、磁石体２１＿１の一端部２３＿１（Ｓ極）との間の周方向略中央に、第２の回転体５の磁石体４１＿１の一端部４３＿１（Ｓ極）が位置する。
また、第１の回転体３の磁石体２１＿１の一端部２３＿１（Ｓ極）と、磁石体２１＿２の一端部２３＿２（Ｎ極）との間の周方向略中央に、第２の回転体５の磁石体４１＿２の一端部４３＿２（Ｎ極）が位置する。
また、第１の回転体３の磁石体２１＿２の一端部２３＿２（Ｎ極）と、磁石体２１＿３の一端部２３＿３（Ｓ極）との間の周方向略中央に、第２の回転体５の磁石体４１＿３の一端部４３＿３（Ｓ極）が位置する。
また、第１の回転体３の磁石体２１＿３の一端部２３＿３（Ｓ極）と、磁石体２１＿４の一端部２３＿４（Ｎ極）との間の周方向略中央に、第２の回転体５の磁石体４１＿４の一端部４３＿４（Ｎ極）が位置する。
【００１７】
また、第１の回転体３の磁石体２１＿４の一端部２３＿４（Ｎ極）と、磁石体２１＿５の一端部２３＿５（Ｓ極）との間の周方向略中央に、第２の回転体５の磁石体４１＿５の一端部４３＿５（Ｓ極）が位置する。
また、第１の回転体３の磁石体２１＿５の一端部２３＿５（Ｓ極）と、磁石体２１＿６の一端部２３＿６（Ｎ極）との間の周方向略中央に、第２の回転体５の磁石体４１＿６の一端部４３＿６（Ｎ極）が位置する。
また、第１の回転体３の磁石体２１＿６の一端部２３＿６（Ｎ極）と、磁石体２１＿７の一端部２３＿７（Ｓ極）との間の周方向略中央に、第２の回転体５の磁石体４１＿７の一端部４３＿７（Ｓ極）が位置する。
また、第１の回転体３の磁石体２１＿７の一端部２３＿７（Ｓ極）と、磁石体２１＿８の一端部２３＿８（Ｎ極）との間の周方向略中央に、第２の回転体５の磁石体４１＿８の一端部４３＿８（Ｎ極）が位置する。
【００１８】
以下、図１および図２に示す動力発生装置１の動作例を説明する。
動力発生装置１では、例えば、第１の回転体３の磁石体２１＿１の一端部２３＿１（Ｓ極）は、第２の回転体５の磁石体４１＿１の一端部４３＿１（Ｓ極）と反発し、第２の回転体５の磁石体４１＿２の一端部４３＿２（Ｎ極）と吸引する。そのため、第１の回転体３は、回転軸１１を中心として時計回り（図１中矢印の向き）の方向に回転が付勢される。
また、第１の回転体３の磁石体２１＿２の一端部２３＿２（Ｎ極）は、第２の回転体５の磁石体４１＿２の一端部４３＿２（Ｎ極）と反発し、第２の回転体５の磁石体４１＿３の一端部４３＿３（Ｓ極）と吸引する。そのため、第１の回転体３は、回転軸１１を中心として時計回り（図１中矢印の向き）の方向に回転が付勢される。
【００１９】
また、第１の回転体３の磁石体２１＿３の一端部２３＿３（Ｓ極）は、第２の回転体５の磁石体４１＿３の一端部４３＿３（Ｓ極）と反発し、第２の回転体５の磁石体４１＿４の一端部４３＿４（Ｎ極）と吸引する。そのため、第１の回転体３は、回転軸１１を中心として時計回り（図１中矢印の向き）の方向に回転が付勢される。
【００２０】
また、第１の回転体３の磁石体２１＿４の一端部２３＿４（Ｎ極）は、第２の回転体５の磁石体４１＿４の一端部４３＿４（Ｎ極）と反発し、第２の回転体５の磁石体４１＿５の一端部４３＿５（Ｓ極）と吸引する。そのため、第１の回転体３は、回転軸１１を中心として時計回り（図１中矢印の向き）の方向に回転が付勢される。
【００２１】
また、第１の回転体３の磁石体２１＿５の一端部２３＿５（Ｓ極）は、第２の回転体５の磁石体４１＿５の一端部４３＿５（Ｓ極）と反発し、第２の回転体５の磁石体４１＿６の一端部４３＿６（Ｎ極）と吸引する。そのため、第１の回転体３は、回転軸１１を中心として時計回り（図１中矢印の向き）の方向に回転が付勢される。
【００２２】
また、第１の回転体３の磁石体２１＿６の一端部２３＿６（Ｎ極）は、第２の回転体５の磁石体４１＿６の一端部４３＿６（Ｎ極）と反発し、第２の回転体５の磁石体４１＿７の一端部４３＿７（Ｓ極）と吸引する。そのため、第１の回転体３は、回転軸１１を中心として時計回り（図１中矢印の向き）の方向に回転が付勢される。
【００２３】
また、第１の回転体３の磁石体２１＿７の一端部２３＿７（Ｓ極）は、第２の回転体５の磁石体４１＿７の一端部４３＿７（Ｓ極）と反発し、第２の回転体５の磁石体４１＿８の一端部４３＿８（Ｎ極）と吸引する。そのため、第１の回転体３は、回転軸１１を中心として時計回り（図１中矢印の向き）の方向に回転が付勢される。
【００２４】
また、第１の回転体３の磁石体２１＿８の一端部２３＿８（Ｎ極）は、第２の回転体５の磁石体４１＿８の一端部４３＿８（Ｎ極）と反発し、第２の回転体５の磁石体４１＿１の一端部４３＿１（Ｓ極）と吸引する。そのため、第１の回転体３は、回転軸１１を中心として時計回り（図１中矢印の向き）の方向に回転が付勢される。
【００２５】
このように、第１の回転体３は、その磁石体２１＿１〜２１＿８の一端部４３＿１〜４３＿８の全てに、第１の回転体３を時計回りに回転させる方向に力が働く。これにより、第１の回転体３は、回転軸１１を中心に時計回りに回転する。
このとき、図１および図２に示すように、第１の回転体３の歯車２５の歯２５ａは、第２の回転体５の支持体３３の凹部３２ａの内周面に形成された歯３５と噛み合っており、第１の回転体３と第２の回転体５は物理的に回転が同期する。
これにより、第２の回転体５は、第１の回転体３と同期して同じ回転速度で時計回りに回転する。
そのため、図１に示す第１の回転体３の磁石体２１＿１〜２１＿８と、第２の回転体５の磁石体４１＿１〜４１＿８との位置関係は変わらず、第１の回転体３および第２の回転体５の全ての回転角度において、第１の回転体３および第２の回転体５の時計回りの回転が付勢（加速）される。その結果、第１の回転体３および第２の回転体５の当該回転を様々な動力として利用できる。
【００２６】
本発明は上述した実施形態には限定されない。
上述した実施形態では、第１の回転体３および第２の回転体５がそれぞれ８個の磁石体を備えた場合を例示したが、磁石体の数は特に限定されない。
また、第１の回転体３と第２の回転体５との回転を同期させる機構として上述したもの以外にも様々な機構を用いることが可能である。
また、動力発生装置１は、例えば、回転体２１＿１〜２１＿８の一端部２３＿１〜２３＿８の磁極を逆にしてもよい。この場合には、第１の回転体３および第２の回転体５は反時計回りに回転が付勢される。
【産業上の利用可能性】
【００２７】
本発明は、効率的に動力を発生する動力発生装置に適用できる。
【図面の簡単な説明】
【００２８】
【図１】図１は、本発明の第１実施形態の動力発生装置の平面側の構成図である。
【図２】図２は、図１に示す３列の回転体の側面方向の構成図である。
【００２９】
１…動力発生装置、３…第１の回転体、５…第２の回転体、９，３１…円筒体、２１＿１〜２１＿８…磁石体、４１＿１〜４１＿８…磁石体
【図１】
2007325423.tif 000003
【図２】
2007325423.tif 000004